(57)【要約】 【課題】  植栽層の飛散を防止して、その薄層化、且つ軽量化を図ると共に、植える植物の制限を受けない。【解決手段】  構造物の屋上１１等に固定された防水層１３と、防水層１３上に敷設され、植物Ｐ等を植えるための植栽層１４と、植栽層１４を覆うように設けられ、植栽層１４の飛散を防止するためのネット状の被覆体２３と、防水層１３に固定され、被覆体２３を係止するための固定治具１５とを備えた。【選択図】      図１
2005151860.tif 000002
【特許請求の範囲】
【請求項１】
構造物の屋上等に固定された防水層と、該防水層上に敷設され、植物等を植えるための植栽層と、該植栽層を覆うように設けられ、上記植栽層の飛散を防止するためのネット状の被覆体と、上記防水層に固定され、上記被覆体を係止するための固定治具とを備えたことを特徴とする植栽装置。
【請求項２】
上記固定治具は、上記防水層に固定された固定部と、上記被覆体を係止するための係止部と、上記固定部と上記係止部とを連結するための連結部とを備えた請求項１記載の植栽装置。
【請求項３】
上記防水層及び上記固定部は、熱可塑性樹脂からなり、上記固定部は、上記防水層に熱融着接合により接合される請求項２記載の植栽装置。
【請求項４】
上記植栽層は、土壌である請求項１〜３いずれか記載の植栽装置。
【請求項５】
構造物の屋上等に固定された第一防水層と、該第一防水層上から下方へと延び、上記第一防水層を上記屋上等に固定するための第一固定治具と、該第一固定治具を覆うように上記第一防水層上に設けられた第二防水層と、少なくとも該第二防水層上に敷設され、植物等を植えるための植栽層と、該植栽層を覆うように設けられ、上記植栽層の飛散を防止するためのネット状の被覆体と、上記第二防水層に固定され、上記被覆体を係止するための第二固定治具とを備えたことを特徴とする植栽装置。
【請求項６】
上記第二固定治具は、上記第二防水層に固定された固定部と、上記被覆体を係止するための係止部と、上記固定部と上記係止部とを連結するための連結部とを備えた請求項５記載の植栽装置。
【請求項７】
上記第二防水層及び上記固定部は、熱可塑性樹脂からなり、上記固定部は、上記第二防水層に熱融着接合により接合される請求項６記載の植栽装置。
【請求項８】
上記植栽層は、土壌である請求項５〜７いずれか記載の植栽装置。
【請求項９】
構造物の屋上等に防水層を固定して、該防水層上に固定治具を固定し、上記防水層上に植物等を植えるための植栽層を上記固定治具の係止部が突出するように敷設した後、該植栽層をネット状の被覆体で覆い、該被覆体を上記固定治具の係止部に取り付けることで、上記植栽層の飛散を防止することを特徴とする飛散防止方法。
【請求項１０】
構造物の屋上等を第一防水層で覆い、該第一防水層をその上から第一固定治具で上記構造物の屋上等に固定した後、上記第一固定治具を第二防水層で覆い、該第二防水層上に第二固定治具を固定し、少なくとも上記第二防水層上に植物等を植えるための植栽層を上記第二固定治具の係止部が突出するように敷設した後、該植栽層をネット状の被覆体で覆い、該被覆体を上記第二固定治具の係止部に取付けることで、上記植栽層の飛散を防止することを特徴とする飛散防止方法。
【発明の詳細な説明】
【技術分野】
【０００１】
本発明は、構造物の屋上等に設置される植栽装置及びこれを用いた飛散防止方法に関するもので、特に、薄層、且つ軽量な植栽層の飛散を防止する植栽装置及びこれを用いた飛散防止方法に関するものである。
【背景技術】
【０００２】
近年、都市部におけるヒートアイランド現象を抑制するために、草花や樹木等を構造物の屋上に植栽する屋上緑化が行われている。この屋上緑化は、一部の都市においては、条例により義務づけられている。植栽装置は、このような屋上緑化を目的として、構造物の屋上等に設置されるものである。
【０００３】
図５に、一般的な植栽装置の構成を示す。図５に示すように、植栽装置４０は、構造物の屋上４１等に固定された防水層４２と、防水層４２上に敷設された植栽層４３とを備えている。植栽層４３には、種々の観賞用草花や樹木、あるいは野菜等の植物Ｐが植えられる。また、植栽層４３は、植物Ｐを植えるためだけでなく、植栽層４３自体の重量によって、負圧等の外因（風等）による防水層４２の飛散防止の働きを兼ねるのが本来の目的の一つに挙げられる。
【０００４】
このような植栽装置４０は、美観に優れるだけでなく、断熱作用を有することから、冷暖房（空調設備）の消費エネルギーの節約にも効果を奏する。そのため、今後、植栽装置４０が、広く普及する可能性が高い。このような植栽装置４０は、特許文献１、及び特許文献２等にも記載されている。
【０００５】
特許文献１記載の植栽装置においては、植栽層が完全に露出している。即ち、植栽層は、被覆体等により覆われていない。また、特許文献２記載の植栽装置においては、客土層（植栽層）の飛散防止、あるいは植物の客土層（植栽層）への固定確保のための育苗層を備えている。この育苗層は、編み状体もしくは不繊布からなる袋と、袋に充填される麻、椰子殻繊維からなる繊維巣とを備えている。育苗層は、客土層（植栽層）の飛散を防止するという効果を奏する。
【０００６】
【特許文献１】特開平８−００００８７号公報
【特許文献２】特開平１１−３１８２１０号公報
【発明の開示】
【発明が解決しようとする課題】
【０００７】
従来、構造物の屋上４１に植栽装置４０を設置するには、植栽層４３等の重量が屋上４１に負荷されるので、構造物全体が充分な耐荷重性を有する必要があった。しかしながら、植栽装置４０の普及と共に、耐荷重性が低い既存構造物にも屋上緑化を薦めるべく、人工土壌開発に伴う植栽層４３の薄層化、及び軽量化が進められた。
【０００８】
人工土壌による薄層、且つ軽量な植栽層４３による屋上緑化においても、植栽層４３の露出を抑えるべく、グラウンドカバーとして、ほふく茎、及び地下茎を有する植物Ｐを植えていた。しかしながら、台風等の強風で、植物Ｐを支える植栽層４３自体が飛散してしまう虞があった。
【０００９】
特許文献１記載の植栽装置においては、植栽層が完全に露出しており、台風等の強風により、植栽層が飛散するため、植栽層を厚くしなければならず、重量化を招いてしまうという問題があった。また、特許文献２記載の植栽装置においては、客土層（植栽層）の飛散防止のための育苗層を備えているが、袋の編み目が小さいため、育苗層に植えることができる植物の種類に制限があった。即ち、上述の育苗層は、袋の編み目より大きな茎を有する植物を植えることができなかった。
【００１０】
なお、植栽層４３の飛散を防止する方法としては、植物Ｐを含めた植栽層４３自体を屋上４１に直接固定するのが望ましいため、屋上４１に防水層４２を機械的な固定工法（アンカー等）により直接固定し、固定強度を高める方法があるが、このような機械的な固定工法によると、防水層４２を貫通せざるを得ず、長年に渡り水密性を保持するのが困難となるといった問題もあった。
【００１１】
そこで、本発明の目的は、上記課題を解決し、植栽層の飛散を防止して、その薄層化、且つ軽量化を図ると共に、植える植物の制限を受けない植栽装置及びこれを用いた飛散防止方法を提供することにある。
【課題を解決するための手段】
【００１２】
上記目的を達成するために、請求項１の発明は、構造物の屋上等に固定された防水層と、該防水層上に敷設され、植物等を植えるための植栽層と、該植栽層を覆うように設けられ、上記植栽層の飛散を防止するためのネット状の被覆体と、上記防水層に固定され、上記被覆体を係止するための固定治具とを備えたことを特徴とする植栽装置である。
【００１３】
請求項２の発明は、上記固定治具は、上記防水層に固定された固定部と、上記被覆体を係止するための係止部と、上記固定部と上記係止部とを連結するための連結部とを備えた請求項１記載の植栽装置である。
【００１４】
請求項３の発明は、上記防水層及び上記固定部は、熱可塑性樹脂からなり、上記固定部は、上記防水層に熱融着接合により接合される請求項２記載の植栽装置である。
【００１５】
請求項４の発明は、上記植栽層は、土壌である請求項１〜３いずれか記載の植栽装置である。
【００１６】
請求項５の発明は、構造物の屋上等に固定された第一防水層と、該第一防水層上から下方へと延び、上記第一防水層を上記屋上等に固定するための第一固定治具と、該第一固定治具を覆うように上記第一防水層上に設けられた第二防水層と、少なくとも該第二防水層上に敷設され、植物等を植えるための植栽層と、該植栽層を覆うように設けられ、上記植栽層の飛散を防止するためのネット状の被覆体と、上記第二防水層に固定され、上記被覆体を係止するための第二固定治具とを備えたことを特徴とする植栽装置である。
【００１７】
請求項６の発明は、上記第二固定治具は、上記第二防水層に固定された固定部と、上記被覆体を係止するための係止部と、上記固定部と上記係止部とを連結するための連結部とを備えた請求項５記載の植栽装置である。
【００１８】
請求項７の発明は、上記第二防水層及び上記固定部は、熱可塑性樹脂からなり、上記固定部は、上記第二防水層に熱融着接合により接合される請求項６記載の植栽装置である。
【００１９】
請求項８の発明は、上記植栽層は、土壌である請求項５〜７いずれか記載の植栽装置である。
【００２０】
請求項９の発明は、構造物の屋上等に防水層を固定して、該防水層上に固定治具を固定し、上記防水層上に植物等を植えるための植栽層を上記固定治具の係止部が突出するように敷設した後、該植栽層をネット状の被覆体で覆い、該被覆体を上記固定治具の係止部に取り付けることで、上記植栽層の飛散を防止することを特徴とする飛散防止方法である。
【００２１】
請求項１０の発明は、構造物の屋上等を第一防水層で覆い、該第一防水層をその上から第一固定治具で上記構造物の屋上等に固定した後、上記第一固定治具を第二防水層で覆い、該第二防水層上に第二固定治具を固定し、少なくとも上記第二防水層上に植物等を植えるための植栽層を上記第二固定治具の係止部が突出するように敷設した後、該植栽層をネット状の被覆体で覆い、該被覆体を上記第二固定治具の係止部に取付けることで、上記植栽層の飛散を防止することを特徴とする飛散防止方法である。
【発明の効果】
【００２２】
本発明によれば、植栽層の飛散を防止して、その薄層化、且つ軽量化を図ると共に、植える植物の制限を受けないという優れた効果を奏する。
【発明を実施するための最良の形態】
【００２３】
以下、本発明の好適な一実施形態を添付図面に基づいて詳述する。
【００２４】
図１に示すように、本実施の形態の植栽装置１０は、構造物の屋上（駆体）１１等に固定された防水層１３と、防水層１３上に敷設され、植物Ｐ等を植えるための植栽層１４と、植栽層１４を覆うように設けられ、植栽層１４の飛散を防止するためのネット状の被覆体２３と、防水層１３に固定され、被覆体２３を係止するための固定治具１５とを備えている。
【００２５】
本実施の形態の防水層１３は、熱可塑性樹脂からなる防水シートである。熱可塑性樹脂としては、従来から防水シートとして広く汎用されている塩ビ系の熱可塑性樹脂と、環境対応品としてのオレフィン系の熱可塑性樹脂がある。オレフィン系の熱可塑性樹脂としては、ポリエチレンや、ポリプロピレン等が一般に知られている。防水層１３は、接着層１２（例えば、接着剤、両面テープ等）により、駆体１１に接着されている。
【００２６】
防水層１３上には、植物Ｐ等を植えるための植栽層１４が敷設されている。本実施の形態の植栽層１４は、土壌である。植栽層（土壌）１４は、薄層に形成するものとする。即ち、植栽層（土壌）１４は、軽量なものとする。植栽層１４の上部には、当該植栽層１４を覆うように、植栽層１４の飛散を防止するためのネット状の被覆体２３が設けられている。この被覆体２３の編み目の幅（間隔）は、植栽層１４に植える植物Ｐ等の大きさによって、決定される。即ち、被覆体２３の編み目の幅（間隔）は、植栽層１４に植える植物Ｐ等が被覆体２３の編み目を通過することができる程度の大きさとする。被覆体２３の材質は、所定の強度を有し、経年劣化しにくいものであれば良い。また、被覆体２３は、柔軟性のあるものからなると良い。
【００２７】
また、防水層１３上には、被覆体２３を係止するための固定治具１５が固定されている。この固定治具１５は、防水層１３に固定された固定部１６と、被覆体２３を係止するための係止部１７と、固定部１６と係止部１７とを連結するための連結部１８とを備えている。
【００２８】
図２に示すように、本実施の形態の固定治具１５の固定部１６は、防水層１３上に固定された長方形板状の固定ベース１９と、固定ベース１９上に、固定ベース１９の長手方向に延び、所定の間隔を隔てて設けられた複数の山部２０とを備えている。山部２０内には、固定ベース１９の長手方向に延びて貫通し、連結部１８を挿入するための挿入孔２２が設けられている。山部２０間には、係止部１７を挿入するための谷部２１が形成されている。谷部２１の数は、係止部１７の数に応じて決定される。
【００２９】
固定治具１５の固定部１６は、熱可塑性樹脂からなる。固定部１６は、熱融着接合により防水層１３上に接合（融着）される。熱融着接合に関しては、均一な接合強度を期待するため、熱風温度及び融着速度のバラツキが少ない自動熱風融着機によるのが望ましい。
【００３０】
自動熱風融着機による接合条件は、熱可塑性樹脂の種類や、天候（季節を含む）等の気候条件によって異なるが、塩ビ系の熱可塑性樹脂では、熱風温度を約４３０℃、融着速度を約１．８ｍ／ｍｉｎとする設定を基本とするのが望ましい。また、塩ビ系の熱可塑性樹脂に比べ、融点の低いポリプロピレン（オレフィン系の熱可塑性樹脂）では、熱風温度を約４００℃、融着速度を約３．０ｍ／ｍｉｎとする設定を基本とし、融着不備のないことを充分に確認する。
【００３１】
ここで、防水層１３、及び固定治具１５の固定部１６の材質としては、熱可塑性樹脂、あるいは加硫ゴム等の使用が考えられるが、確実な接合と強固な接合強度を期待するため、熱風による融着接合が可能な熱可塑性樹脂であることが望ましい。
【００３２】
本実施の形態の固定治具１５の係止部１７は、開口部（図示せず）とヒンジ（図示せず）とが設けられた固定リングである。これにより、係止部（固定リング）１７を開口し、被覆体２３、及び固定治具１５の連結部１８と着脱自在に係合する。なお、係止部１７は、リング状に限らず、Ｃ字状等でも良い。即ち、係止部１７は、被覆体２３を係止できる形状であれば良い。
【００３３】
本実施の形態の固定治具１５の連結部１８は、棒状の固定リングステーである。連結部（固定リングステー）１８の、固定治具１５の固定部１６への取付強度を高めるため、連結部（固定リングステー）１８は、金属製とするのが望ましい。これは、固定部１６が、熱可塑性樹脂からなるためである。連結部（固定リングステー）１８は、固定部１６の挿入孔２２に挿入される。
【００３４】
ここで、固定治具１５の係止部（固定リング）１７及び連結部（固定リングステー）１８の材質は、耐腐食性材料からなることが望ましい。この理由としては、係止部（固定リング）１７、及び連結部（固定リングステー）１８の一部は、植栽層１４に埋設した状態で使用されるからである。
【００３５】
固定治具１５は、防水層１３上に所定の間隔を隔てて、並行に複数配置される。固定治具１５の配置位置及び数については、駆体１１と防水層１３との固定強度（接着強度）、固定治具１５の強度、及び固定治具１５の係止部（固定リング）１７に取り付けられる被覆体２３の強度等を考慮し、負圧計算（風等の影響）に基づいて算出する。
【００３６】
固定治具１５の固定部１６に形成された谷部２１に挿入された係止部（固定リング）１７は、固定治具１５の固定部１６に設けられた挿入孔２２に連結部（固定リングステー）１８を介在させることによって外れることのないように備えられる。この状態で、防水層１３上に植栽層１４が敷設される。このとき、固定部１６には、山部２０が固定部１６（固定ベース１９）の長手方向に設けられているので、植栽層１４を区画する。
【００３７】
防水層１３上に敷設された植栽層１４、及び植物Ｐ等は、固定治具１５の係止部（固定リング）１７に係止された被覆体２３によって覆われる。図３に示すように、係止部（固定リング）１７は、植栽層１４より一部突出した状態で、被覆体２３を係止する。ここで、図３において、固定治具１５は、図中の上下方向に延びて、それぞれ配置されているものとする。
【００３８】
次に、本実施の形態の植栽装置１０の作用について説明する。
【００３９】
被覆体２３は、植栽層１４を覆うように設けられていると共に、固定治具１５により係止されている。そのため、風雨等により植栽層１４が飛散するのを防止することができ、植栽層１４の薄層化、且つ軽量化を達成できる。従って、構造物への荷重負担を低減でき、耐荷重性が低い既存構造物への適用も可能となる。
【００４０】
また、固定治具１５の固定部１６は、熱融着接合により防水層１３に接合（固定）されているので、固定治具１５を防水層１３に確実に固定することができ、固定治具１５の係止部（固定リング）１７は、被覆体２３を確実に係止することができる。即ち、本実施の形態の固定治具１５（固定部１６）は、充分な接合強度で防水層１３に接合（固定）されている。そのため、防水層１３の駆体１１への固定強度は、植栽層１４の重量に依存することはなく、植栽層１４を薄層、且つ軽量としても植栽装置１０の作用を損なうことはない。
【００４１】
また、駆体１１上には、防水層１３が接着層１２により固定されているので、植栽装置１０の水密性を保つことができる。即ち、防水層１３には、貫通部がなく、水分が駆体１１へと浸み出ることを長年に亘って防止することができる。
【００４２】
また、本実施の形態の固定治具１５の固定部１６（固定ベース１９）は、長方形板状であり、この固定部１６（固定ベース１９）による防水層１３への接合（融着）は、面接合である。そのため、固定治具１５の固定部１６と防水層１３とは、広い接合面を有する。これにより、固定治具１５は、防水層１３に強固に固定することができると共に、防水層１３に作用する力は分散され、防水層１３を破損することはない。
【００４３】
また、本実施の形態の固定治具１５の固定部１６と連結部（固定リングステー）１８との接続は、点接続ではなく、線接続であるため、固定部１６（固定ベース１９）の長手方向であれば、任意の位置に固定治具１５の係止部（固定リング）１７を取り付けることが可能となる。この場合、あらかじめ固定部１６に、谷部２１を所定の数だけ設けておけば良い。これにより、植物Ｐ等を植栽層１４に植えた後の係止部（固定リング）１７の確認だけでなく、位置の変更、及び追加なども容易に行うことができる。即ち、被覆体２３の固定治具１５（係止部１７）への取付位置を容易に変更することができる。
【００４４】
ところで、被覆体２３が剛体からなると、植栽層１４に植える植物Ｐ等の成長を妨げる虞がある。本実施の形態の被覆体２３は、柔軟性のあるものからなるので、被覆体２３は、植物Ｐ等の成長に応じて変形することが可能なので、植物Ｐ等の成長を妨げることはない。
【００４５】
次に、他の実施の形態について説明する。
【００４６】
図４に、他の実施の形態の植栽装置を示す。図１と同一部材には、同一符号を付す。
【００４７】
図４に示すように、植栽装置３０は、構造物の屋上（駆体）１１等に固定された第一防水層３１と、第一防水層３１上から下方へと延び、第一防水層３１を屋上（駆体）１１等に固定するための第一固定治具３２と、第一固定治具３２を覆うように第一防水層３１上に設けられた第二防水層３５と、少なくとも第二防水層３５上に敷設され、植物Ｐ等を植えるための植栽層１４と、植栽層１４を覆うように設けられ、植栽層１４の飛散を防止するためのネット状の被覆体２３と、第二防水層３５に固定され、被覆体２３を係止するための第二固定治具１５とを備えている。
【００４８】
第一防水層３１は、第一固定治具３２により、駆体１１に固定されている。本実施の形態の第一防水層３１は、熱可塑性樹脂からなる防水シートである。第一固定治具３２は、第一防水層３１を貫通して、駆体１１に打ち込まれている。第一固定治具３２は、所定の間隔を隔てて、所定数配置される。ここで、第一固定治具３２は、第二固定治具１５の設置方向に複数配置しておくものとする。本実施の形態の第一固定治具３２は、第一防水層３１上に配置される固定金具３３と、固定金具３３から下方へと延びる固定アンカー３４とからなる。固定金具３３は、隣接する固定アンカー３４同士を連結するように設けられており、その上部に設けられる第二防水層３５と第二固定治具１５との接合面積を確保するようになっている。
【００４９】
第一固定治具３２を覆うように第一防水層３１上には、第二防水層３５が敷設されている。本実施の形態の第二防水層３５は、熱可塑性樹脂からなる防水シートである。ここで、第二防水層３５は、第一防水層３１に熱融着接合によって接合（融着）しておくと良い。
【００５０】
第二固定治具１５は、第二防水層３５に熱融着接合により接合（融着）されている。第二固定治具１５の構成は、図２に示す固定治具１５と同一のものであるとする。本実施の形態の固定治具１５は、所定の間隔を隔てて複数配置された第一固定治具３２の上部に位置するように、配置される。
【００５１】
次に、本実施の形態の植栽装置３０の作用について説明する。
【００５２】
第一固定治具３２（固定アンカー３４）は、第一防水層３１を貫通しているが、第二防水層３５により覆われている。即ち、第二防水層３５は、第一防水層３１を貫通している第一固定治具３２を覆うと共に、第二防水層３５を、第一防水層３１に接合（融着）しておくことで、植栽装置３０の水密性（第一防水層３１の防水性）を確実に保つことができる。
【００５３】
ここで、第一防水層３１は、第一固定治具３２により固定されている。第一固定治具３２による固定は、いわゆる機械的な固定工法であり、より強固に第一防水層３１を駆体１１に固定することができる。
【００５４】
これら実施の形態の植栽装置１０、３０においては、植栽層１４の飛散防止は、植栽層１４を被覆体２３で覆い、被覆体２３を固定治具１５及び防水層１３を介して、駆体１１に固定することで行っている。従って、この植栽層１４の飛散防止方法は、防水層１３を接着層１２によって固定する接着工法と、第一防水層３１を第一固定治具３２によって固定する機械的な固定工法のいずれにも適用が可能となる。
【００５５】
なお、固定治具（第二固定治具）１５の構成は、上述の実施の形態には制限されない。即ち、固定治具（第二固定治具）１５は、防水層１３（第二防水層３５）に強固に固定されると共に、被覆体２３を係止することができればよい。
【００５６】
なお、本実施の形態の飛散防止方法は、図１で示した植栽装置１０を用いたものであり、構造物の屋上１１等に防水層１３を固定して、防水層１３上に固定治具１５を固定し、防水層１３上に植物Ｐ等を植えるための植栽層（土壌）１４を固定治具１５の係止部１７が突出するように敷設した後、植栽層（土壌）１４をネット状の被覆体２３で覆い、被覆体２３を固定治具１５の係止部１７に取り付けることで、植栽層（土壌）１４の飛散を防止するものである。又は、図４で示した植栽装置３０を用いて、構造物の屋上１１等を第一防水層３１で覆い、第一防水層３１をその上から第一固定治具３２で構造物の屋上１１等に固定した後、第一固定治具３２を第二防水層３５で覆い、第二防水層３５上に第二固定治具１５を固定し、少なくとも第二防水層３５上に植物Ｐ等を植えるための植栽層（土壌）１４を第二固定治具１５の係止部１７が突出するように敷設した後、植栽層（土壌）１４をネット状の被覆体２３で覆い、被覆体２３を第二固定治具１５の係止部１７に取付けることで、植栽層（土壌）１４の飛散を防止しても良い。
【図面の簡単な説明】
【００５７】
【図１】本発明の好適な実施の形態に係る植栽装置の側面断面図である。
【図２】固定治具の斜視図である。
【図３】図１の植栽装置の平面図である。
【図４】他の実施の形態の植栽装置の側面断面図である。
【図５】従来の植栽装置の側面断面図である。
【符号の説明】
【００５８】
１０  植栽装置
１１  構造物の屋上（駆体）
１２  接着層
１３  防水層
１４  植栽層
１５  固定治具
１７  係止部（固定リング）
２３  被覆体
Ｐ  植物
【図１】
2005151860.tif 000003
【図２】
2005151860.tif 000004
【図３】
2005151860.tif 000005
【図４】
2005151860.tif 000006
【図５】
2005151860.tif 000007